(57)【要約】【課題】偏光板を建築物の構成材料として用いることが可能となるようにした偏光板組込部材を提供する。【解決手段】平板状に形成された偏光板ｐと、偏光板ｐを表裏両側から挟むように配置されて偏光板ｐと一体となるように設けられ、偏光板ｐと略同じ大きさの平板状に形成された一対の透明板部材Ｇと、偏光板ｐ及び透明板部材Ｇそれぞれの周端面に設けられ、偏光板ｐと透明板部材Ｇとの間の隙間部を外部から遮蔽する隙間遮蔽部材Ｖとを備えたことを特徴とする偏光板組込部材Ｐ５。【効果】偏光板の周りの耐水性を向上させることができるので、偏光板を建築物の構成材料として用いることを可能とすることができる。【選択図】図１
2008170880.tif 000002
【特許請求の範囲】
【請求項１】
平板状に形成された偏光板と、
前記偏光板を表裏両側から挟むように配置されて前記偏光板と一体となるように設けられ、前記偏光板と略同じ大きさの平板状に形成された一対の透明板部材と、
前記偏光板及び前記透明板部材それぞれの周端面に設けられ、前記偏光板と前記透明板部材との間の隙間部を外部から遮蔽する隙間遮蔽部材と
を備えたことを特徴とする偏光板組込部材。
【請求項２】
平板状に形成された偏光板と、
前記偏光板を表裏両側から挟むように配置され、前記偏光板より一回り大きな平板状に形成された透明板部材と、
前記偏光板の周端面と、前記一対の透明板部材の前記偏光板より一回り大きな周端部の内側面により形成された凹部に充填された接着部材と
を備えたことを特徴とする偏光板組込部材。
【請求項３】
平板状に形成された偏光板と、
前記偏光板を表裏両側から挟むように配置されて前記偏光板と一体となるように設けられ、前記偏光板と略同じ大きさの平板状に形成された一対の透明板部材と、
前記偏光板及び前記透明板部材それぞれの周端面を含むこれらの周端部を被覆するようにコの字状に形成された断面を有する周端部被覆部材と、
前記周端部被覆部材のコの字状断面の折れ曲がり両端部と、前記透明板部材の周端部との間に設けられた接着部材と
を備えたことを特徴とする偏光板組込部材。
【請求項４】
平板状に形成された偏光板と、
前記偏光板の表裏両面及び厚さが見える周端面等のすべての面を外部から被覆する透明被覆部材と
を備えたことを特徴とする偏光板組込部材。
【請求項５】
前記偏光板の表裏いずれか一方の平面と前記透明板部材又は透明被覆部材との間に、有害な紫外線を遮蔽することができる紫外線遮蔽膜部材を挟んで設けた
ことを特徴とする請求項１ないし４のいずれかに記載の偏光板組込部材。
【請求項６】
建物の壁面から垂直方向に突出して設けられた第１の出部屋と、
前記第１の出部屋の前記壁面からの突出側先端部からさらに突出するよう延長して一体的に設けられた第１のバルコニーと、
前記第１の出部屋の１つ上の階で、かつ前記第１の出部屋の真上位置に、前記第１のバルコニーに対して階段状に設けられた第２のバルコニーと
を有する階段状バルコニー構造を備え、
前記階段状バルコニー構造が、異なる階との間で水平方向の位置が互い違いに配置されるよう設けられると共に、
少なくとも前記第１のバルコニーの、水平かつ前記壁面に平行方向の一端部と他端部のそれぞれに偏光板が、互いに対向するようにかつ互いの偏光軸を直交させて設けられた
ことを特徴とする建築物。
【請求項７】
建物の壁面から垂直方向に突出して設けられた第１の出部屋と、
前記第１の出部屋の前記壁面からの突出側先端部からさらに突出するよう延長して一体的に設けられた第１のバルコニーと、
前記第１の出部屋の１つ上の階で、かつ前記第１の出部屋の真上位置に、前記第１のバルコニーに対して階段状に設けられた第２のバルコニーと
を有する階段状バルコニー構造を備え、
前記階段状バルコニー構造が、異なる階との間で水平方向の位置が互い違いに配置されるよう設けられた第１の集合住宅と、
前記第１の集合住宅と互いに対向して配置され互いに対向して目視することができる場所を有する第２の集合住宅との間において、
前記第１、第２の集合住宅の互いに対向して目視することができる場所のそれぞれに、偏光板が、互いに対向するようにかつ互いの偏光軸を直交させて設けられた
ことを特徴とする建築物。
【発明の詳細な説明】
【技術分野】
【０００１】
本発明は、内側に偏光板が組込まれた偏光板組込部材、及び、この偏光板組込部材が用いられる集合住宅等の建築物に関するものである。
【背景技術】
【０００２】
従来においては、各階ごとの複数の住戸にわたって水平かつ集合住宅の壁面に平行に連続的に設けられるバルコニーを有する集合住宅があった。このような従来の集合住宅における各階のバルコニーは、プライバシー保護のために、互いに隣接する複数の住戸間が仕切り板で仕切られていた。
【０００３】
また、このような従来の集合住宅の他の形態として、各階ごとのバルコニーでの開放感の向上のために、バルコニーの、集合住宅の壁面からの突出長さが、下層階にいくほど少しずつ長くなるように形成されているものがあった（例えば、特許文献１参照）。
【特許文献１】特開平７−２４７７０５号公報
【発明の開示】
【発明が解決しようとする課題】
【０００４】
しかしながら、上述したような従来の集合住宅の前者においては、各階のバルコニーそれぞれの真上には一つ上の階のバルコニーが設けられているので、バルコニー内に立つ居住者は頭上に圧迫感を感じると共に、隣の住戸との間の仕切り板により狭小感を受けるため、バルコニーにおける居住者の開放感が損なわれるという問題があった。
【０００５】
また、このような問題は、上述したような従来の集合住宅の後者（上記特許文献１）のように、集合住宅の壁面からのバルコニーの突出長さを、下層階にいくほど少しずつ長くするようにしたとしても十分に解決することはできないと共に、バルコニーをそのような構造にするために無駄な空間が必要となっていた。
【０００６】
また、バルコニーにおける居住者の開放感を向上させたい場合には、バルコニーにおける居住者の視野が広がるようにバルコニーを形成することが考えられるが、居住者の視野が広くなるようにすると、今度は逆に、バルコニーが他人に覗き込まれ易くなる可能性が高くなるので、バルコニーにおける居住者のプライバシーの保護が損なわれるおそれがあるという問題が出てくる。
【０００７】
また、このような集合住宅やその他の建築物において、その偏光軸の方向が直交するように偏光板を重ね合わせて用いると偏光板を貫いて光が透過することができなくなる性質を利用して、プライバシーの保護を図ることが考えられるが、偏光板は耐水性に乏しいと共に、紫外線により劣化しやすい性質を有しているので、そのまま建築物の構成材料として用いることに適していないという問題があった。
【０００８】
そこで本発明は、上記問題点に鑑みて、偏光板を建築物の構成材料として用いることが可能となるようにした偏光板組込部材を提供することを課題とするものである。
【０００９】
また本発明は、上記問題点に鑑みて、バルコニーにおける居住者の開放感を向上させることができると共に、バルコニーにおける居住者のプライバシーの保護を向上させることができる建築物を提供することを課題とするものである。
【課題を解決するための手段】
【００１０】
上記課題を解決するために、本発明による偏光板組込部材は、
平板状に形成された偏光板と、
前記偏光板を表裏両側から挟むように配置されて前記偏光板と一体となるように設けられ、前記偏光板と略同じ大きさの平板状に形成された一対の透明板部材と、
前記偏光板及び前記透明板部材それぞれの周端面に設けられ、前記偏光板と前記透明板部材との間の隙間部を外部から遮蔽する隙間遮蔽部材とを備えたことを特徴とするものである。
【００１１】
また、上記課題を解決するために、本発明による偏光板組込部材は、
平板状に形成された偏光板と、
前記偏光板を表裏両側から挟むように配置され、前記偏光板より一回り大きな平板状に形成された透明板部材と、
前記偏光板の周端面と、前記一対の透明板部材の前記偏光板より一回り大きな周端部の内側面により形成された凹部に充填された接着部材とを備えたことを特徴とするものである。
【００１２】
また、上記課題を解決するために、本発明による偏光板組込部材は、
平板状に形成された偏光板と、
前記偏光板を表裏両側から挟むように配置されて前記偏光板と一体となるように設けられ、前記偏光板と略同じ大きさの平板状に形成された一対の透明板部材と、
前記偏光板及び前記透明板部材それぞれの周端面を含むこれらの周端部を被覆するようにコの字状に形成された断面を有する周端部被覆部材と、
前記周端部被覆部材のコの字状断面の折れ曲がり両端部と、前記透明板部材の周端部との間に設けられた接着部材とを備えたことを特徴とするものである。
【００１３】
また、上記課題を解決するために、本発明による偏光板組込部材は、
平板状に形成された偏光板と、
前記偏光板の表裏両面及び厚さが見える周端面等のすべての面を外部から被覆する透明被覆部材とを備えたことを特徴とするものである。
【００１４】
また、上記本発明による偏光板組込部材において、
前記偏光板の表裏いずれか一方の平面と前記透明板部材又は透明被覆部材との間に、有害な紫外線を遮蔽することができる紫外線遮蔽膜部材を挟んで設けたことを特徴とするものである。
【００１５】
上記課題を解決するために、本発明による建築物は、
建物の壁面から垂直方向に突出して設けられた第１の出部屋と、
前記第１の出部屋の前記壁面からの突出側先端部からさらに突出するよう延長して一体的に設けられた第１のバルコニーと、
前記第１の出部屋の１つ上の階で、かつ前記第１の出部屋の真上位置に、前記第１のバルコニーに対して階段状に設けられた第２のバルコニーと
を有する階段状バルコニー構造を備え、
前記階段状バルコニー構造が、異なる階との間で水平方向の位置が互い違いに配置されるよう設けられると共に、
少なくとも前記第１のバルコニーの、水平かつ前記壁面に平行方向の一端部と他端部のそれぞれに偏光板が、互いに対向するようにかつ互いの偏光軸を直交させて設けられたことを特徴とするものである。
【００１６】
また、上記課題を解決するために、本発明による建築物は、
建物の壁面から垂直方向に突出して設けられた第１の出部屋と、
前記第１の出部屋の前記壁面からの突出側先端部からさらに突出するよう延長して一体的に設けられた第１のバルコニーと、
前記第１の出部屋の１つ上の階で、かつ前記第１の出部屋の真上位置に、前記第１のバルコニーに対して階段状に設けられた第２のバルコニーと
を有する階段状バルコニー構造を備え、
前記階段状バルコニー構造が、異なる階との間で水平方向の位置が互い違いに配置されるよう設けられた第１の集合住宅と、
前記第１の集合住宅と互いに対向して配置され互いに対向して目視することができる場所を有する第２の集合住宅との間において、
前記第１、第２の集合住宅の互いに対向して目視することができる場所のそれぞれに、偏光板が、互いに対向するようにかつ互いの偏光軸を直交させて設けられたことを特徴とするものである。
【発明の効果】
【００１７】
このような本発明に係る偏光板組込部材によれば、
平板状に形成された偏光板と、
前記偏光板を表裏両側から挟むように配置されて前記偏光板と一体となるように設けられ、前記偏光板と略同じ大きさの平板状に形成された一対の透明板部材と、
前記偏光板及び前記透明板部材それぞれの周端面に設けられ、前記偏光板と前記透明板部材との間の隙間部を外部から遮蔽する隙間遮蔽部材とを備えたことにより、
偏光板の周りの耐水性を向上させることができるので、偏光板を建築物の構成材料として用いることが可能となる。
【００１８】
また、このような本発明に係る偏光板組込部材によれば、
平板状に形成された偏光板と、
前記偏光板を表裏両側から挟むように配置され、前記偏光板より一回り大きな平板状に形成された透明板部材と、
前記偏光板の周端面と、前記一対の透明板部材の前記偏光板より一回り大きな周端部の内側面により形成された凹部に充填された接着部材とを備えたことにより、
やはり偏光板の周りの耐水性を向上させることができるので、偏光板を建築物の構成材料として用いることが可能となる。
【００１９】
また、このような本発明に係る偏光板組込部材によれば、
平板状に形成された偏光板と、
前記偏光板を表裏両側から挟むように配置されて前記偏光板と一体となるように設けられ、前記偏光板と略同じ大きさの平板状に形成された一対の透明板部材と、
前記偏光板及び前記透明板部材それぞれの周端面を含むこれらの周端部を被覆するようにコの字状に形成された断面を有する周端部被覆部材と、
前記周端部被覆部材のコの字状断面の折れ曲がり両端部と、前記透明板部材の周端部との間に設けられた接着部材とを備えたことにより、
やはり偏光板の周りの耐水性を向上させることができるので、偏光板を建築物の構成材料として用いることが可能となる。
【００２０】
また、このような本発明に係る偏光板組込部材によれば、
平板状に形成された偏光板と、
前記偏光板の表裏両面及び厚さが見える周端面等のすべての面を外部から被覆する透明被覆部材とを備えたことにより、
やはり偏光板の周りの耐水性を向上させることができるので、偏光板を建築物の構成材料として用いることが可能となる。
【００２１】
また、本発明に係る偏光板組込部材において、
前記偏光板の表裏いずれか一方の平面と前記透明板部材又は透明被覆部材との間に、有害な紫外線を遮蔽することができる紫外線遮蔽膜部材を挟んで設けたことにより、
耐水性と共に、有害な紫外線に対する偏光板の耐久性をも向上させることができるので、さらに偏光板が建築物の構成材料として用いられる可能性を向上させることができる。
【００２２】
また、このような本発明に係る建築物によれば、
建物の壁面から垂直方向に突出して設けられた第１の出部屋と、
前記第１の出部屋の前記壁面からの突出側先端部からさらに突出するよう延長して一体的に設けられた第１のバルコニーと、
前記第１の出部屋の１つ上の階で、かつ前記第１の出部屋の真上位置に、前記第１のバルコニーに対して階段状に設けられた第２のバルコニーと
を有する階段状バルコニー構造を備え、
前記階段状バルコニー構造が、異なる階との間で水平方向の位置が互い違いに配置されるよう設けられると共に、
少なくとも前記第１のバルコニーの、水平かつ前記壁面に平行方向の一端部と他端部のそれぞれに偏光板が、互いに対向するようにかつ互いの偏光軸を直交させて設けられたことにより、
バルコニーにおける居住者の開放感を向上させると共に、バルコニーにおける居住者のプライバシーの保護を向上させることができる。
【００２３】
また、このような本発明に係る建築物によれば、
建物の壁面から垂直方向に突出して設けられた第１の出部屋と、
前記第１の出部屋の前記壁面からの突出側先端部からさらに突出するよう延長して一体的に設けられた第１のバルコニーと、
前記第１の出部屋の１つ上の階で、かつ前記第１の出部屋の真上位置に、前記第１のバルコニーに対して階段状に設けられた第２のバルコニーと
を有する階段状バルコニー構造を備え、
前記階段状バルコニー構造が、異なる階との間で水平方向の位置が互い違いに配置されるよう設けられた第１の集合住宅と、
前記第１の集合住宅と互いに対向して配置され互いに対向して目視することができる場所を有する第２の集合住宅との間において、
前記第１、第２の集合住宅の互いに対向して目視することができる場所のそれぞれに、偏光板が、互いに対向するようにかつ互いの偏光軸を直交させて設けられたことにより、
やはりバルコニーにおける居住者の開放感を向上させると共に、バルコニーにおける居住者のプライバシーの保護を向上させることができる。
【発明を実施するための最良の形態】
【００２４】
以下、本発明に係る偏光板組込部材を実施するための最良の形態について、図面に基づいて具体的に説明する。
図１は、本発明の第１の実施の形態に係る偏光板組込部材Ｐ５について説明するために参照する図である。
【００２５】
図１において、偏光板組込部材Ｐ５の内側には平板状に形成された偏光板ｐが設けられており、この偏光板ｐを表裏両側から挟むように、偏光板ｐと略同じ大きさの平板状に形成された一対のガラス板Ｇ（透明板部材に相当）が配置されていて、このガラス板Ｇは後述するように、偏光板ｐ及び後述する紫外線遮蔽膜部材Ｆと一体となるように設けられている。
【００２６】
偏光板ｐの表裏いずれか一方の平面（図中左側の面）と図中左側のガラス板Ｇとの間には、有害な紫外線を遮蔽することができる紫外線遮蔽膜部材Ｆが挟まれて、一対のガラス板Ｇ、偏光板ｐ及び紫外線遮蔽膜部材Ｆ相互間は互いに、偏光板組込部材Ｐ５の透明度を損なうことなく接着されて、全体として一体となるように構成されている。このような紫外線遮蔽膜部材Ｆは、偏光板ｐよりも建築物２の外側寄りに配置されて設けられることにより、偏光板ｐを、建築物２の外側から射し込む有害な紫外線から保護することができるようになっている。
【００２７】
このように互いに接着された、一対のガラス板Ｇ、偏光板ｐ及び紫外線遮蔽膜部材Ｆの厚さが見えるそれぞれの周端面には、それぞれの部材相互間の隙間部を外部から遮蔽すると共に、耐水性を有している止水材Ｖ（隙間遮蔽部材に相当）が設けられている。このため、偏光板ｐの周りの耐水性を向上させることができるので、外部からの雨などの水がそれぞれの部材相互間の隙間部に浸入するのを防止して、偏光板ｐが水に濡れてその性質が劣化するのを防止することができる。
【００２８】
このような本発明の第１の実施の形態に係る偏光板組込部材Ｐ５によれば、偏光板ｐの周りの耐水性を向上させることができるので、偏光板ｐを建築物の構成材料として用いることが可能となる。
【００２９】
図２は、本発明の第２の実施の形態に係る偏光板組込部材Ｐ６について説明するために参照する図である。
この第２の実施の形態においては、一対のガラス板Ｇの大きさが、偏光板ｐの大きさよりも一回り大きなものとなっており、偏光板ｐの厚さが見えるその周端面と、一対のガラス板Ｇの偏光板ｐより一回り大きな周端部の内側面により形成された凹部Ｃには、一対のガラス板Ｇ双方の周端部の内側面の間を接着すると共に、耐水性を有している接着部材Ｂが充填されて構成されている。
【００３０】
また、前記実施の形態と同様に、偏光板ｐの図中左側の面と図中左側のガラス板Ｇとの間には、有害な紫外線を遮蔽することができる紫外線遮蔽膜部材Ｆを挟んで、一対のガラス板Ｇ、偏光板ｐ及び紫外線遮蔽膜部材Ｆ相互間は互に、偏光板組込部材Ｐ６の透明度を損なうことなく接着されて、全体として一体となるように構成されている。
【００３１】
このような本発明の第２の実施の形態に係る偏光板組込部材Ｐ６によっても、偏光板ｐの周りの耐水性を向上させることができるので、外部からの雨などの水が、ガラス板Ｇ、偏光板ｐ及び紫外線遮蔽膜部材Ｆ相互間の隙間部に浸入するのを防止することができるため、偏光板ｐを建築物の構成材料として用いることが可能となる。
【００３２】
図３は、本発明の第３の実施の形態に係る偏光板組込部材Ｐ７について説明するために参照する図である。
この第３の実施の形態においては、一対のガラス板Ｇ、偏光板ｐ及び紫外線遮蔽膜部材Ｆ相互間は互に、偏光板組込部材Ｐ６の透明度を損なうことなく接着されて、全体として一体となるように構成されている。そして、各部材の厚さが見えるその周端面を含むこれらの周端部を被覆するように、コの字状に形成された断面を有する周端部被覆部材６５が設けられ、この周端部被覆部６５のコの字状断面の折れ曲がり両端部６５ａとガラス板Ｇの周端部との間には、耐水性を有する接着部材Ｂが挟まれて設けられている。
【００３３】
このような本発明の第３の実施の形態に係る偏光板組込部材Ｐ７によっても、偏光板ｐの周りの耐水性を向上させることができるので、偏光板ｐを建築物の構成材料として用いることを可能にすることができる
【００３４】
図４は、本発明の第４の実施の形態に係る偏光板組込部材Ｐ８について説明するために参照する図である。
この第４の実施の形態においては、互いに接着された偏光板ｐと紫外線遮蔽膜部材Ｆの表裏両面及び厚さが見えるその周端面等のすべての面が、アクリルなどのプラスチックにより形成されかつ光を通すことができる透明被覆部材６７により、外部から被覆するように構成されている。
この場合は、透明被覆部材６７の、互いに接着された偏光板ｐと紫外線遮蔽膜部材Ｆの表裏両面に対向する板部分が、透明板部材に相当するものである。
【００３５】
このような本発明の第４の実施の形態に係る偏光板組込部材Ｐ８によっても、偏光板ｐの周りの耐水性を向上させることができるので、偏光板ｐを建築物の構成材料として用いることを可能にすることができる
【００３６】
図５から図１２は、本発明に係る建築物の実施の形態としての、本発明の第５の実施の形態について説明するために参照する図である。
【００３７】
図５は、本実施の形態に係る集合住宅２（建築物に相当）を示す正面図である。同図に示すように、集合住宅２は６階建ての建物であり、各階の居住空間は、図６から図１１に示すように、複数の住戸に分けられている。集合住宅２の建物内部には、階段５０及びエレベーター５２が設けられている。また、各住戸の壁面Ｓ側には、その壁面Ｓから引っ込んでベランダ状に形成されたスペース５３の床部に、非常時に階下に降りるための非常用脱出口５４が設けられている。
【００３８】
ここで、集合住宅２について説明するにあたり、この集合住宅２における図５〜１１中横方向の長さを１６の区間に区切り、各区間を五十音の片仮名「ア」〜「タ」の符号で指し示すこととする。
【００３９】
集合住宅２には、図６に示すように、その１階の区間「イ」に、壁面Ｓに平行の方向（図中横方向）に所定幅Ｗを有し、壁面Ｓから垂直方向（図中下方）に寸法Ｔで示される長さ分だけ突出して設けられる第１の出部屋４が設けられている。また、この第１の出部屋４における突出側（壁面Ｓと反対側）の先端部（図中下端部）から寸法Ｕの長さ分だけ延長し壁面Ｓからさらに突出した、第１の出部屋４から出入り可能な第１のバルコニー６が一体的に設けられている。
【００４０】
また、集合住宅２には、図７に示すように、その２階の区間「イ」に、壁面Ｓから垂直方向に寸法Ｔで示される長さ分だけ突出して設けられる第２のバルコニー８が設けられている。つまり、この第２のバルコニー８は、図５に示すように、１階の区間「イ」に設けられた第１の出部屋４よりも１つ上の階に設けられ、かつその第１の出部屋４の真上に設けられている。
【００４１】
したがって、１階の区間「イ」に設けられた第１のバルコニー６と、２階の区間「イ」に設けられた第２のバルコニー８とは、図１２に示すように階段状に配置されることになる。このため、第１の出部屋４と、第１のバルコニー６と、第２のバルコニー８とをまとめて、階段状バルコニー構造１０と仮に呼ぶこととする。
【００４２】
図５に示すように、集合住宅２には、その１階から２階における、上記区間「イ」、「カ」、「コ」、「セ」に設けられた階段状バルコニー構造１０に対して、水平方向の位置が互い違いに配置されるように、３階から４階における、上記区間「エ」、「ク」、「シ」、「タ」に、階段状バルコニー構造１０が設けられている。
【００４３】
また、集合住宅２には、このような３階から４階における、上記区間「エ」、「ク」、「シ」、「タ」に設けられた階段状バルコニー構造１０に対して、水平方向の位置が互い違いに配置されるように、５階から６階における、上記区間「イ」、「カ」、「コ」、「セ」に、階段状バルコニー構造１０が設けられている。つまり、集合住宅２には、このような階段状バルコニー構造１０が、異なる階との間で水平方向の位置が互い違いに配置されるように複数箇所に設けられている。
【００４４】
第１のバルコニー６、及び第２のバルコニー８のそれぞれには、矩形の床の、壁面Ｓ側の１辺を除く３辺に、居住者が誤って落下しないようにフェンス２６，２８が立設されている。フェンス２８は、第２のバルコニー８内に立つ人の目線の高さよりも高く形成したり、或いは背が高い人でも第２のバルコニー８内からは容易に下方の第１のバルコニー６内を見下ろすことができないように、図示していない庇等を外側に少し張り出して設けるようにして、第１のバルコニー６内に立つ人のプライバシーが侵害されないようにすることができる。
【００４５】
また、図５、図６及び図１０に示すように、１階及び５階における、区間「イ」、「カ」、「コ」、「セ」に設けられた第１のバルコニー６のそれぞれの、水平かつ壁面Ｓに平行方向の一端部と他端部のそれぞれの上には、互いに対向するように偏光板組込部材Ｐ１とＰ２（偏光板に相当）が、その平面が壁面Ｓに垂直方向に配置されるように立設されている。
【００４６】
偏光板組込部材Ｐ１とＰ２のそれぞれは、前記第１ないし第４のいずれかの実施の形態に係る、偏光板組込部材Ｐ５ないしＰ８のいずれかを用いることができる。
【００４７】
このため、偏光板組込部材Ｐ１とＰ２のそれぞれは、偏光板ｐよりも紫外線遮蔽膜部材Ｆの方が、集合住宅２の外側に向くように設けられている。
そして、偏光板組込部材Ｐ１はその偏光板ｐの偏光軸が縦方向に、偏光板組込部材Ｐ２はその偏光板ｐの偏光軸が横方向に向くように、すなわち、偏光軸が互いに直交するよう構成されている。
【００４８】
２枚の偏光板は、互いの偏光軸を直交させて重なるように配置されると、一方の偏光板を通過した偏光は他方の偏光板を通過することができないので、人はそのように配置した２枚の偏光板を通してその向こう側の光景を目視することができないことが、広く知られている。
【００４９】
このため、図５において、例えば区間「イ」の第１のバルコニー６内に立つ人と、水平方向におけるそのバルコニー６の隣りの区間「カ」のバルコニー６内に立つ人との間には、偏光板組込部材Ｐ１とＰ２が重なって配置されているので、それぞれのバルコニー６内に立つ人は互いに見られることを防止することができる。
また、区間「カ」、「コ」、「セ」に設けられた第１のバルコニー６のそれぞれに立つ人も、互に隣りの他のバルコニー６内に立つ人から見られることを防止することができる。
【００５０】
また、図５及び図８に示すように、３階における、区間「エ」、「ク」、「シ」、「タ」に設けられた第１のバルコニー６のそれぞれの、水平かつ壁面Ｓに平行方向の一端部と他端部のそれぞれにも、互いに対向するように偏光板組込部材Ｐ１とＰ２が立設されていて、これらの偏光板組込部材Ｐ１とＰ２も、互いの偏光板ｐの偏光軸が直交するように設けられている。
【００５１】
このため、図５において、例えば区間「エ」の第１のバルコニー６内に立つ人が、水平方向におけるそのバルコニー６の隣りの区間「ク」のバルコニー６内に立つ人から見られることを防止することができ、また、区間「ク」、「シ」、「タ」に設けられた第１のバルコニー６のそれぞれに立つ人も、互に隣りの他のバルコニー６内に立つ人から見られることを防止することができる。
【００５２】
また、集合住宅２には、図５、図７及び図１１に示すように、その２階及び６階における、区間「エ」、「ク」、「シ」、「タ」のそれぞれに、第２のバルコニー８の壁面Ｓからの突出長さＴとほぼ同じ長さだけ壁面Ｓから突出する、第２の出部屋１２が設けられている。
【００５３】
図７及び図１１のそれぞれに示すように、２階と６階における区間「エ」の第２の出部屋１２は、この第２の出部屋１２の図中左方に並ぶ、区間「イ」の第２のバルコニー８と同一の住戸に属しており、この区間「エ」の第２の出部屋１２には、区間「イ」の第２のバルコニー８側に開口する窓１４が設けられている。区間「エ」の第２の出部屋１２は区間「イ」の第２のバルコニー８と同一の住戸に属しているので、区間「エ」の第２の出部屋１２に窓１４が設けられていても、区間「イ」の第２のバルコニー８内に立つ人のプライバシーが侵害されることはない。
【００５４】
また、このような区間「エ」の第２の出部屋１２及び区間「イ」の第２のバルコニー８と同様に、区間「ク」、「シ」、「タ」に設けられた第２の出部屋１２のそれぞれは、これらの図中左方に並ぶ、区間「カ」、「コ」、「セ」の第２のバルコニー８のそれぞれと同一の住戸に属しており、第２の出部屋１２のそれぞれには同一の住戸に属する第２のバルコニー８側に開口する窓１４が設けられている。この場合も第２の出部屋１２に窓１４が設けられていても、同一の住戸に属する第２のバルコニー８内に立つ人のプライバシーが侵害されることはない。
【００５５】
また、図５及び図９に示すように、４階における区間「イ」、「カ」、「コ」、「セ」に設けられた第２の出部屋１２のそれぞれは、これらの図中右方に並ぶ、区間「エ」、「ク」、「シ」、「タ」の第２のバルコニー８のそれぞれと同一の住戸に属しており、第２の出部屋１２のそれぞれには同一の住戸に属する第２のバルコニー８側に開口する窓１４が設けられている。この場合も第２の出部屋１２に窓１４が設けられていても、同一の住戸に属する第２のバルコニー８内に立つ人のプライバシーが侵害されることはない。
【００５６】
また、前述のように、集合住宅２には、図５、図７及び図１１に示すように、２階と６階の区間「エ」、「ク」、「シ」、「タ」、４階の区間「イ」、「カ」、「コ」、「セ」のそれぞれに、第２の出部屋１２が設けられている。このため、２階、４階及び６階の第２のバルコニー８の、水平かつ壁面Ｓに平行方向の両端部には前記偏光板組込部材Ｐ１とＰ２を設けていなくとも、第２の出部屋１２により遮られて、互いの第２のバルコニー８内に立つ人のプライバシーが侵害されることはない。
【００５７】
また、集合住宅２には、図５、図７及び図１１に示すように、その２階及び６階における、区間「カ」の第２のバルコニー８と、このバルコニー８と同一の住戸に属していない区間「エ」の第２の出部屋１２との間に存する区間「オ」には、区間「カ」の第２のバルコニー８からのみ出入り可能な第３のバルコニー１６が設けられている。
【００５８】
この第３のバルコニー１６には、図７及び図１１に示すように、小型プール１８が設けられている。区間「エ」の第２の出部屋１２の、区間「オ」の第３のバルコニー１６側には窓が無いので、この第２のバルコニー８と第２の出部屋１２が同一の住戸に属していなくとも、第３のバルコニー１６内に立つ人のプライバシーが侵害されることはない。
【００５９】
また、集合住宅２には、その２階及び６階における、区間「セ」の第２のバルコニー８と、区間「シ」の第２の出部屋１２との間に存する区間「ス」にも、区間「セ」の第２のバルコニー８からのみ出入り可能な第３のバルコニー１６が設けられている。そしてこの場合もやはり、第２の出部屋１２の第３のバルコニー１６側には窓が無いので、第２の出部屋１２と同一の住戸に属していない第３のバルコニー１６内に立つ人のプライバシーが侵害されることはない。
【００６０】
また、集合住宅２には、図５及び図９に示すように、その４階における、区間「エ」の第２のバルコニー８と、このバルコニー８と同一の住戸に属していない区間「カ」の第２の出部屋１２との間に存する区間「オ」にも、区間「エ」の第２のバルコニー８からのみ出入り可能な第３のバルコニー１６が設けられている。
【００６１】
また、区間「シ」の第２のバルコニー８と、このバルコニー８と同一の住戸に属していない区間「セ」の第２の出部屋１２との間に存する区間「ス」にも、区間「シ」の第２のバルコニー８からのみ出入り可能な第３のバルコニー１６が設けられている。そしてこの場合もやはり、第２の出部屋１２の第３のバルコニー１６側には窓が無いので、第２の出部屋１２と同一の住戸に属していない第３のバルコニー１６内に立つ人のプライバシーが侵害されることはない。
【００６２】
このような本実施の形態に係る集合住宅２においては、第１のバルコニー６及び第２のバルコニー８のそれぞれは、高さ方向及び壁面Ｓからの突出方向に互いに離れて設けられていると共に、同じ階の隣の住戸のバルコニー６，８がやはり互いに離れて設けられている。
【００６３】
いずれのバルコニー６，８においても、その真上には何も無いか、バルコニーや出部屋等が有ってもうっとうしくない程度に上下に離れていると共に、各バルコニー６，８の少なくとも片側は、集合住宅２の上下方向に連続して壁面Ｓから何も突出していない空間と隣合っている。
【００６４】
このため、本実施の形態に係る集合住宅２によれば、第１のバルコニー６、第２のバルコニー８及び第３のバルコニー１６における居住者の開放感を向上させることができると共に、居住者のプライバシーの保護をも向上させることができる。
【００６５】
また、本実施の形態に係る集合住宅２によれば、１階及び５階における区間「イ」、「カ」、「コ」、「セ」に設けられた第１のバルコニー６、及び３階における区間「エ」、「ク」、「シ」、「タ」に設けられた第１のバルコニー６のそれぞれの壁面Ｓに平行方向の両端部には、互いに対向するように偏光板組込部材Ｐ１とＰ２が、その平面が壁面Ｓに垂直方向に配置されるように立設されている。
【００６６】
そして、これらの偏光板組込部材Ｐ１とＰ２は、互いの偏光板ｐの偏光軸が直交するように形成されている。このため、居住者同士の互いの水平方向の視線を遮蔽することができるので、第１のバルコニー６における居住者のプライバシーの保護を向上させることができる。
【００６７】
また、本実施の形態に係る集合住宅２によれば、２，４，６階のそれぞれの、水平方向における第２のバルコニー８同士の間に、第２の出部屋１２が設けられているため、この第２の出部屋１２に遮られて居住者同士の互いの水平方向の視線を遮蔽することができるので、同じ階の第２のバルコニー８同士の互いのプライバシーが侵害されることはない。
【００６８】
また、本実施の形態に係る集合住宅２によれば、第２の出部屋１２が有する窓１４は、同一の住戸に属する第２のバルコニー８側に開口するので、バルコニー８における居住者のプライバシーが侵害されることはない。
【００６９】
また、本実施の形態に係る集合住宅２によれば、第２のバルコニー８と第２の出部屋１２との間に、第２のバルコニー８から出入り可能な第３のバルコニー１６が設けられているので、このような第３のバルコニー１６が設けられた住戸の居住空間を広げることができると共に、隣りの住戸の第２の出部屋１２が有する窓１４は上記第３のバルコニー１６と反対側にあるので、第３のバルコニー１６における居住者のプライバシーの保護を維持することができる。
【００７０】
また、本実施の形態に係る集合住宅２によれば、第１のバルコニー６や第２のバルコニー８等とは別のベランダ状のスペース５３の床部に非常用脱出口５４を設けたので、第１のバルコニー６や第２のバルコニー８等が集合住宅２の上下方向各階毎に並んでいなくてもよくなると共に、非常時に住民がスムーズに緊急避難することができる。
【００７１】
図１３は、本発明に係る建築物の実施の形態としての、本発明の６の実施の形態について説明するために参照する図である。
【００７２】
同図に示すように、第１の集合住宅２Ａの、１，５階の第１のバルコニー６のフェンス２６、及び２，６階の第２のバルコニー８のフェンス２８の、壁面Ｓから突出しかつ壁面Ｓと平行な部分の手摺の上には、前記第１の実施の形態における偏光板組込部材Ｐ１と同様の、偏光板ｐの偏光軸が縦方向の偏光板組込部材Ｐ３が立設されている。
【００７３】
また、第１の集合住宅２Ａと同様の集合住宅２を示す図５を参照して、第１の集合住宅２Ａを説明すると、３，４階の階段状バルコニー構造１０のバルコニー６，８のフェンス２６，２８の、壁面Ｓから突出しかつ壁面Ｓと平行な部分の手摺の上にも、偏光板ｐの偏光軸が縦方向の偏光板組込部材Ｐ３が立設されている。
【００７４】
また第１の集合住宅２Ａは、上記図５における、２，４，６階の、区間「オ」と「ス」に設けられた第３のバルコニー１６のフェンスの、壁面Ｓから突出しかつ壁面Ｓと平行な部分の手摺の上にも、上記と同じ偏光板組込部材Ｐ３が立設されている。
【００７５】
また、図１３の第１の集合住宅２Ａにおいて、１，５階の第１のバルコニー６、及び２，６階の第２のバルコニー８の奥側（図中左端側）に続く部屋の窓６１及び６２にも、上記と同じ偏光板組込部材Ｐ３が立設されている。
また第１の集合住宅２Ａは、上記図５における、３，４階の階段状バルコニー構造１０のバルコニー６，８の奥側に続く部屋のそれぞれの窓にも、上記偏光板組込部材Ｐ３が立設されている。
【００７６】
そして、図１３において、４階の第２の出部屋１２の窓６３にも上記偏光板組込部材Ｐ３が設けられている。
また第１の集合住宅２Ａは、上記図５における、２，６階の第２の出部屋１２の窓（図示せず）にも上記偏光板組込部材Ｐ３が設けられている。
【００７７】
このような第１の集合住宅２Ａと、互いに向き合って建てられている第２の集合住宅２Ｂにおいても、互いに対向して目視することができる場所、すなわち、第１の集合住宅２Ａにおいて偏光板組込部材Ｐ３が設けられた位置と同様の位置に、偏光板組込部材が設けられている。
【００７８】
ところが、こちらの第２の集合住宅２Ｂにおいては、前記第５の実施の形態における偏光板組込部材Ｐ２と同様の、偏光板ｐの偏光軸が横方向の偏光板組込部材Ｐ４が設けられている点において、第１の集合住宅２Ａと異なっている。
【００７９】
前述のように、２枚の偏光板は、互いの偏光軸を直交させて重なるように配置されると、一方の偏光板を通過した偏光は他方の偏光板を通過することができないので、人はそのように配置した２枚の偏光板を通してその向こう側の光景を目視することはできない。
【００８０】
このため、例えば図１３中左側の、第１の集合住宅２Ａの、１，５階の第１のバルコニー６内に立つ人と、同図中向かい側の、第２の集合住宅２Ｂの同階の、第１のバルコニー６内に立つ人との間には、偏光板ｐの偏光軸が縦方向の偏光板組込部材Ｐ３と、偏光板ｐの偏光軸が横方向の偏光板組込部材Ｐ４が重なって設けられていることになるので、第１の集合住宅２Ａの第１のバルコニー６内に立つ人は、第２の集合住宅２Ｂの第１のバルコニー６内に立つ人から見られることを防止することができる。
【００８１】
また、図１３中第１の集合住宅２Ａの、２，６階の第２のバルコニー８内に立つ人と、第２の集合住宅２Ｂの同階の第２のバルコニー８内に立つ人との間にも、やはり偏光板ｐの偏光軸が縦方向の偏光板組込部材Ｐ３と、偏光板ｐの偏光軸が横方向の偏光板組込部材Ｐ４が重なって設けられているので、第１の集合住宅２Ａの第２のバルコニー８内に立つ人は、第２の集合住宅２Ｂの第２のバルコニー８内に立つ人から見られることを防止することができる。
【００８２】
また、図１３中第１の集合住宅２Ａの、１，５階の第１のバルコニー６の奥側の窓６１内に立つ人と、第２の集合住宅２Ｂの同階の、第１のバルコニー６の奥側の窓６１内に立つ人との間には、偏光板ｐの偏光軸が縦方向の偏光板組込部材Ｐ３と、偏光板ｐの偏光軸が横方向の偏光板組込部材Ｐ４が２枚ずつ重なって設けられているので、第１の集合住宅２Ａの第１のバルコニー６の奥側の窓６１内に立つ人は、第２の集合住宅２Ｂの第１のバルコニー６の奥側の窓６１内に立つ人から見られることを防止することができる。
【００８３】
また、図１３中第１の集合住宅２Ａの、２，６階の第２のバルコニー８の奥側の窓６２内に立つ人と、第２の集合住宅２Ｂの同階の第２のバルコニー８の奥側の窓６２内に立つ人との間にも、偏光板ｐの偏光軸が縦方向の偏光板組込部材Ｐ３と、偏光板ｐの偏光軸が横方向の偏光板組込部材Ｐ４が２枚ずつ重なって設けられているので、第１の集合住宅２Ａの第２のバルコニー８の奥側の窓６２内に立つ人は、第２の集合住宅２Ｂの第２のバルコニー８の奥側の窓６２内に立つ人から見られることを防止することができる。
【００８４】
また、図１３中第１の集合住宅２Ａの、４階の第２の出部屋１２の窓６３内に立つ人と、第２の集合住宅２Ｂの同階の、第２の出部屋１２の窓６３内に立つ人との間には、偏光板ｐの偏光軸が縦方向の偏光板組込部材Ｐ３と、偏光板ｐの偏光軸が横方向の偏光板組込部材Ｐ４が重なって設けられているので、第１の集合住宅２Ａの第２の出部屋１２の窓６３内に立つ人は、第２の集合住宅２Ｂの同階の、第２の出部屋１２の窓６３内に立つ人から見られることを防止することができる。
【００８５】
ところで、１枚の偏光板を通して偏光板の向こう側の光景を見ることは可能なので、図１３中第１の集合住宅２Ａにおける、第１のバルコニー６内又は第２のバルコニー８内に立つ人や、第２の出部屋１２の窓６３内に立つ人は、１枚の偏光板組込部材Ｐ３を通して、第１、第２のバルコニー６，８又は窓６３の外側や、第２の集合住宅２Ｂの外観及びその手前の光景を見ることが可能となっている。
【００８６】
また、第１、第２のバルコニー６，８の奥側の窓６１，６２内に立つ人は、１枚の偏光板組込部材Ｐ３を通して、第１、第２のバルコニー６，８内に立つ人を見ることが可能となっている。
【００８７】
また、２枚の偏光板でも、それらの偏光板の偏光軸が同方向を向いて重なり合って配置されるときは、その２枚の偏光板を通して偏光板の向こう側の光景を見ることが可能なので、図１３中第１の集合住宅２Ａにおける、第１、第２のバルコニー６，８の奥側の窓６１，６２内に立つ人は、その窓６１，６２と第１、第２のバルコニー６，８のフェンス２６，２８上に設けられた、２枚の偏光板組込部材Ｐ３を通して、バルコニー６，８の外側や、第２の集合住宅２Ｂの外観及びその手前の光景を見ることが可能となっている。
このようなことは、第２の集合住宅２Ｂにおける居住者にとっても同様である。
【００８８】
このような本発明の第６の実施の形態によっても、前記第１の実施の形態と同様に、バルコニーにおける居住者の開放感、及び、バルコニーにおける居住者のプライバシーの保護を向上させることができる。特に、互いに向き合って建てられた集合住宅において、向かい側の集合住宅の居住者からこちらの集合住宅の部屋の中やベランダが覗かれることを、お互いに防止できるので、このような点において、居住者のプライバシーの保護をさらに向上させることができる。
【００８９】
このような本発明の第６の実施の形態においては、前記第５の実施の形態で第１のバルコニー６の両端部に設けられていた偏光板組込部材Ｐ１，Ｐ２が、同様に第１のバルコニー６の両端部に設けられていてもよいし、設けられていなくともよいが、仮に設けられているとした場合でも、偏光板組込部材Ｐ１，Ｐ２の構成及び作用効果の説明は、前述したのと同様なので省略するものとする。
【００９０】
なお、前記第１ないし第４の実施の形態における偏光板組込部材Ｐ５〜Ｐ８は、偏光板ｐが紫外線遮蔽膜部材Ｆと共に組込まれて構成されていたが、偏光板組込部材があまり日当たりの良くない場所に設けられる場合には、紫外線遮蔽膜部材Ｆを設けないで、偏光板ｐのみが２枚のガラス板Ｇ間に挟まれて、或は透明被覆部材６７により被覆されて構成されるようにしてもよい。
【００９１】
また、前記第１ないし第３の実施の形態における偏光板組込部材Ｐ５〜Ｐ７は、偏光板ｐを２枚のガラス板Ｇにより挟んで構成されていたが、ガラス板Ｇの代りに透明なプラスチック板等の、他の透明な材料の板材により挟んで構成してもよい。
【００９２】
また、前記第５、第６の実施の形態においては、本発明を、６階建ての集合住宅に対して適用し、便宜上水平方向の長さが１６の区間に分けられた場合について説明したが、本発明は、このような集合住宅に制限されることはなく、６階建て以外の階数の集合住宅、又はその間取りから水平方向の長さが１６の区間以外の区間に分けられる集合住宅等、どのような集合住宅にも適用することができることはいうまでもない。
【００９３】
また、前記第５、第６の実施の形態においては、本発明を主に住居用の集合住宅に適用した場合について説明したが、本発明は、その適用を集合住宅に限定する必要は無く、業務用のビルディング等の、他のどのような建築物にも適用することができることはいうまでもない。
【００９４】
また、前記第５、第６の実施の形態においては、第２のバルコニー８と第２の出部屋１２との間に第３のバルコニー１６を設けた場合について説明したが、第３のバルコニー１６は必ずしも設けなくともよい。第３のバルコニー１６を設けない場合は、仮にそれを設けた場合のその位置より下方にあるバルコニー６や８等においては、第３のバルコニー１６が無くなる分、居住者の開放感をさらに向上させることができる。
【００９５】
また、前記第５、第６の実施の形態においては、バルコニー６や８等のフェンス２６や２８等の上に継ぎ足して、偏光板組込部材Ｐ１，Ｐ２等を立設する場合について説明したが、バルコニー６や８等の床からフェンス２６や２８等よりも高い高さを有する部材を、フェンス２６や２８等の内側に添わせるように設けて、このような部材に形成された枠部や窓部などの素通し部に偏光板組込部材Ｐ１，Ｐ２等を設けるようにしてもよい。
【００９６】
また、前記第５、第６の実施の形態においてはバルコニーについて説明したが、その呼び方はバルコニーに限定する必要は無く、ベランダでも、或はバルコニーやベランダに類するものであれば、他のどのような呼び方で特定されるものであってもよい。
【００９７】
また、前記第５の実施の形態においては、階段状バルコニー構造１０の第１のバルコニー６の両端部にのみ偏光板組込部材Ｐ１，Ｐ２を設けた場合について説明したが、集合住宅２の壁面Ｓにおける階段状バルコニー構造１０の配置の仕方によっては、第１のバルコニー６と共に第２のバルコニー８の両端部にも偏光板組込部材Ｐ１，Ｐ２を設けるようにしてもよい。
【００９８】
また、前記第６の実施の形態においては、第１の集合住宅２Ａと互いに対向して配置された第２の集合住宅２Ｂが、第１の集合住宅２Ａと同様の構造の集合住宅である場合について説明したが、第１の集合住宅２Ａに対して、互いに対向して目視することができる場所を有する集合住宅であれば、第２の集合住宅２Ｂは第１の集合住宅２Ａと同様の構造のものである必要は無い。
【図面の簡単な説明】
【００９９】
【図１】本発明の第１の実施の形態に係る偏光板組込部材Ｐ５を示す断面図である。
【図２】本発明の第２の実施の形態に係る偏光板組込部材Ｐ６を示す断面図である。
【図３】本発明の第３の実施の形態に係る偏光板組込部材Ｐ７を示す断面図である。
【図４】本発明の第４の実施の形態に係る偏光板組込部材Ｐ８を示す断面図である。
【図５】本発明の第５の実施の形態に係る集合住宅２を示す正面図である。
【図６】図５に示す集合住宅２の１階の間取り図である。
【図７】図５に示す集合住宅２の２階の間取り図である。
【図８】図５に示す集合住宅２の３階の間取り図である。
【図９】図５に示す集合住宅２の４階の間取り図である。
【図１０】図５に示す集合住宅２の５階の間取り図である。
【図１１】図５に示す集合住宅２の６階の間取り図である。
【図１２】図５に示す集合住宅２の区間「イ」における概略断面図である。
【図１３】本発明の第６の実施の形態に係る第１の集合住宅２Ａ及び第２の集合住宅２Ｂを示すその概略断面図である。
【符号の説明】
【０１００】
２  集合住宅
２Ａ  第１の集合住宅
２Ｂ  第２の集合住宅
４  第１の出部屋
６  第１のバルコニー
８  第２のバルコニー
１０  階段状バルコニー構造
１２  第２の出部屋
１４  窓
１６  第３のバルコニー
１８  小型プール
２６，２８  フェンス
５０  階段
５２  エレベーター
５４  非常用脱出口
６１，６２，６３  窓
６５  周端部被覆部材
６５ａ  端部
６７  透明被覆部材
Ｂ  接着部材
Ｃ  凹部
Ｆ  紫外線遮蔽膜部材
Ｇ  ガラス板
Ｐ１〜Ｐ８  偏光板組込部材
ｐ  偏光板
Ｓ  壁面
Ｖ  止水材
【図１】
2008170880.tif 000003
【図２】
2008170880.tif 000004
【図３】
2008170880.tif 000005
【図４】
2008170880.tif 000006
【図５】
2008170880.tif 000007
【図６】
2008170880.tif 000008
【図７】
2008170880.tif 000009
【図８】
2008170880.tif 000010
【図９】
2008170880.tif 000011
【図１０】
2008170880.tif 000012
【図１１】
2008170880.tif 000013
【図１２】
2008170880.tif 000014
【図１３】
2008170880.tif 000015